(57)【要約】【課題】他者と比較することでモチベーションをアップすること。【解決手段】  データベース３５を有するサーバ１０と、サーバ１０と通信するＰＣ５を有する時間登録システム１において、データベース３５は、ランキング手段５２、時間記録手段５１を有するものである。さらに、第１に、使用者はＰＣ５により時間記録手段５１に時間を入力する。さらに、第２に、ランキング手段５２により入力した時間を並び替えることにより、他者と時間を比較することができる。それにより、モチベーションがアップすることができる。【選択図】  図１
2013152621.tif 000002
【特許請求の範囲】
【請求項１】
管理者が持つデータベースを有するサーバと、使用者が持つ前記サーバと通信する通信手段を有する時間登録システムにおいて、
前記データベースは、ランキング手段、時間記録手段を有すること、
第１に、前記使用者は前記通信手段により前記時間記録手段に時間を入力し、第２に前記ランキング手段により前記入力した時間を並び替えること、
を特徴とする時間登録システム。
【請求項２】
請求項１に記載する時間登録システムにおいて、
前記データベースは他者設定手段を有すること、
前記ランキング手段は前記他者設定手段により設定された他者のみをランキング形式とすること、
を特徴とする時間登録システム。
【請求項３】
請求項１に記載する時間登録システムにおいて、
前記ランキング手段により前記時間が多い方から並び替えられること、
を特徴とする時間登録システム。
【請求項４】
請求項１乃至請求項３に記載するいずれか一つの時間登録システムにおいて、
前記ランキング手段により集計されたランキングが前記サーバから前記使用者に送信されること、
を特徴とする時間登録システム。
【請求項５】
請求項４に記載する時間登録システムにおいて、
前記ランキングは同じ時間の単位で区切った時間により区切られていること、
を特徴とする時間登録システム。
【請求項６】
請求項４に記載する時間登録システムにおいて、
前記ランキングは、１日の時間、１週間の時間、１月の時間、１年の時間、総時間により区切られていること、
を特徴とする時間登録システム。
【請求項７】
請求項１に記載する時間登録システムにおいて、
第１に、前記サーバから問題が前記使用者に対して送信されること、
第２に、前記使用者が前記問題を解答し、前記解答内容を前記サーバに送信すること、
第３に、前記サーバが点数集計手段によりランキング化すること、
を特徴とする時間登録システム。
【請求項８】
請求項１に記載する時間登録システムにおいて、
前記通信手段がスマートフォンであること、
を特徴とする時間登録システム。
【請求項９】
請求項８に記載する時間登録システムにおいて、
前記スマートフォンはストップウォッチ機能を有し前記時間を記録できること、
前記時間を前記サーバに自動送信すること、
を特徴とする時間登録システム。
【発明の詳細な説明】
【技術分野】
【０００１】
本発明は、管理者が持つデータベースを有するサーバと、使用者が持つ前記サーバと通信する通信手段を有する時間登録システムに関する。
【背景技術】
【０００２】
非特許文献１は、代表的なポータルサイトの例である。ポータルサイトは、インターネットに接続した時に、ウェブブラウザで最初にアクセスされるウェブサイトのことである。
非特許文献１のポータルサイトから、使用者がログインすることにより、使用者専用のサイトを利用できる。この使用者専用サイトに対して、使用者は、個人の日記を書き込むことができるスケジューラを提供している。
使用者は、個人の日記に、勉強時間及びその内容を書き込むことができる。それにより、使用者の勉強の軌跡を確認することができる。
【先行技術文献】
【非特許文献】
【０００３】
【非特許文献１】ヤフー株式会社、インターネット＜http:/www.yahoo.co.jp＞
【発明の概要】
【発明が解決しようとする課題】
【０００４】
しかしながら、従来技術には、以下の問題があった。
すなわち、使用者は個人の日記を書き込むことができるが、他者の勉強時間及びその内容を確認することができなかった。他者の勉強時間を知ることで使用者は、モチベーションを上げることができるため、他者と比較できないことは個人の日記の書き込みの効果が半減するため問題となる。
【０００５】
そこで、本発明は、上記問題点を解決するためになされたものであり、その目的は日記を他者と比較することでモチベーションをアップすることができる時間登録システムを提供することを目的とする。
【課題を解決するための手段】
【０００６】
上記目的を達成するために、本発明の一態様における時間登録システムは、以下の構成を有する。
データベースを有するサーバと、前記サーバと通信する通信手段を有する時間登録システムにおいて、前記データベースは、ランキング手段、時間記録手段を有すること、第１に、使用者は前記通信手段により前記時間記録手段に時間を入力し、第２に前記ランキング手段により前記入力した時間を並び替えること、を特徴とする。それにより、日記を他者と比較することができるため、モチベーションをアップすることができる。
【発明の効果】
【０００７】
本発明によれば、日記を他者と比較してモチベーションがアップする時間登録システムを提供することができる。
【図面の簡単な説明】
【０００８】
【図１】本発明の第１実施形態に係る時間登録システムの概念図である。
【図２】本発明の第１実施形態に係る時間登録システムに時間登録する際の流れ図である。
【図３】本発明の第２実施形態に係る時間登録システムの概念図である。
【図４】本発明の第２実施形態に係るスマートフォンの正面図である。
【発明を実施するための形態】
【０００９】
次に、本発明に係る時間登録システムの一実施の形態について図面を参照して説明する。
【００１０】
（第１実施形態）
図１は、本発明の実施の形態による時間登録システム１の構成を示す図である。図１に示すように、時間登録システム１は、データベース３５及びサーバ１０を含む。サーバ１０には、データベース３５が接続される。サーバ１０とＰＣ５等の通信端末は、ネットワークを介して相互に接続される。データベース３５は、時間記録手段５１、ランキング手段５２、個人認証手段５３、パーソナル通信手段５４、他者設定手段５５、点数集計手段５６を有する。
【００１１】
ＰＣ５からのリクエストに応答して、サーバ１０は、ログインなしにアクセスできるサイトを表示するための情報をＰＣ５に送信する（Ｑ１）。それにより、ＰＣ５に、サイトが表示される。
ＰＣ５は、使用者が入力画面からサイトを介してログイン情報をサーバ１０に送信する（Ｐ１）。ログイン情報が正しいか否かを個人認証手段５３で判断し正しい場合には、サーバ１０は、パーソナルサイトを表示するための情報をパーソナル情報通信手段５４によりＰＣ５に送信する（Ｑ２）。それにより、ＰＣ５には、パーソナルサイトが表示される。
【００１２】
使用者が、パーソナルサイトを通じて日々の勉強記録を入力すると、ＰＣ５は当該情報をサーバ１０へ送信する。サーバ１０は、当該情報を時間記録手段５１に格納する（Ｐ２）。時間記録手段５１には、使用者毎に割り当てられた領域が存在するため使用者は自らの情報を日記として使用することができる。
【００１３】
サーバ１０は、多数の使用者が記録した勉強時間を全体の勉強時間と比較するためのランキングをランキング手段５２により作成する。ランキングは、１日の勉強時間、１週間の勉強時間、１月の勉強時間等の同じ単位で区切った時間であればなんでも良い。ランキング手段５２により、勉強時間が上位の使用者から表示されるようにし、ＰＣ５に送信する（Ｑ３）。
勉強時間が使用者の間でランキング化されることにより、使用者は、自らを奮い立たせモチベーションを維持することができる。
【００１４】
また、使用者はＰＣ５を使用して時間記録手段５１に記録された自らの過去の記録を見ることができるため、勉強時間の軌跡を確認することができる。勉強時間の軌跡を確認することができるため、試験直前にそれを見れば、自らの自信につながる。また、目標とする勉強時間に到達しているのかを一目でみることができるため、目標が明確になる効果がある。
【００１５】
さらに、週に一度サーバ１０から問題が送られてくる。使用者はその問題に対して決まった時間で解答し、解答をＰＣ５から入力送信をする。サーバ１０は送信された解答を点数集計手段５６によりチェックし点数化する。本実施形態においては、解答は○×で判断できるものとするため、点数集計手段５６により容易に計算することができる。点数集計手段５６は、点数をランキングにより表し、解答者に対して送信する。送信される内容は、平均点、順位、偏差値等を送信する。使用者は、勉強をしたことが身についているのかを問題を通して確認することができる。また、得点を勉強時間登録サイト１を使用している使用者と比較することができるため、さらにモチベーションが上がる効果につながる。
【００１６】
なお、本実施形態においては、問題をＰＣ５で入力することとしたが、スマートフォン等に対して送信し、スマートフォンから直接解答できるようにすることもできる。
【００１７】
また、使用者は、ログインした状態において、他の使用者を他者設定手段５５により任意に設定してランキングを設定することができる。任意に設定した使用者をサーバ１０に送信する(Ｐ６)。サーバ１０は、任意の使用者を集合させ任意のランキングを作成し、ＰＣ５に送信する(Ｐ７)。
任意に使用者を設定することができることにより、悪意の使用者を排除したランキングを形成することができる。また、任意の使用者を設定することができることにより、塾やクラス等の小さな単位で、勉強時間を競争させることができるため、使用者のモチベーションを継続させることができる。
【００１８】
（第２実施形態）
第２実施形態の時間登録システム１００は、第１実施形態における通信手段であるＰＣ５をスマートフォン９に変更するものである。図３に示すように、第２実施形態は第１実施形態と比較して通信手段以外異なるところがないため、その他の部分は説明を割愛する。
【００１９】
通信手段であるスマートフォン９においては、サーバ１０に対して通信可能なものである。スマートフォン９は、ストップウォッチ手段９１を有する。ストップウォッチ手段９１は、ダウンロードすることによりスマートフォン９で使用可能となる。図４に示すように、ストップウォッチ手段９１を起動すると画面に、勉強スイッチ９０１、睡眠スイッチ９０２、雑用スイッチ９０３、移動スイッチ９０４、食事ボタンスイッチ９０５、遊びスイッチ９０６等のスイッチがある。前記スイッチ９０１〜９０６を押すとストップウォッチ機能が開始し、もう一度押すと停止する。その間の時間が例えば、３時間であり、勉強スイッチ９０１を押していた場合には勉強時間３時間として登録される。勉強時間の３時間は、使用者の情報としてサーバ１０に、スマートフォン９から自動送信される。また、その他の時間についても同様に自動送信される。自動送信されることにより、使用者は、ＰＣに入力する時間を省略することができる。
【００２０】
また、時間の管理を常に持ち歩いている携帯電話であるスマートフォンにより行うことができるため、常に時間を意識することができ記録が容易である。
【００２１】
（変形例）
尚、本発明は、上記実施の形態に限定されることなく、発明の趣旨を逸脱することのない範囲で色々な応用が可能である。
例えば、通信端末としてＰＣ及びスマートフォンを使用することとしたが、従来の携帯電話を使用することもできる。
例えば、勉強時間登録システムとしたが、勉強時間以外の時間であっても登録することができる。例えば、趣味の時間、睡眠時間、雑用時間等を記録することができる。それらの時間を登録することにより、自らの時間を管理することができる。また、趣味の時間、睡眠時間、雑用時間等に関してもランキング化することでモチベーションを上げることができる。
【符号の説明】
【００２２】
１      時間登録システム
１０    サーバ
３５    データベース
５１    時間記録手段
５２    ランキング手段
５３    個人認証手段
５４    パーソナル通信手段
【図１】
2013152621.tif 000003
【図２】
2013152621.tif 000004
【図３】
2013152621.tif 000005
【図４】
2013152621.tif 000006